(57)【要約】  流量制御装置（１２）に装着するよう成される栄養投与セット（１０）を開示する。栄養投与セット（１０）は、流体の流れに適合されるチューブ（６０）と、栄養投与セット（１０）を流量制御装置（１２）に装着するよう適したバルブ機構（１４）と、栄養投与セット（１０）の機能構成の識別を可能にするよう適合される取付部材（１６）とを備える。また、栄養投与セット（１０）を利用する流体を投与するための方法も開示する。新規性のあるバルブ機構（１４）も開示する。
2008500070.tif 000002
【特許請求の範囲】
【請求項１】
栄養投与セット（１０）であって、
流体の流れに適合し、更に流量制御装置（１２）に係合するよう成されるチューブ（６０）と、
前記チューブ（６０）と直接連通し、前記流量制御装置（１２）に係合するよう成されるバルブ機構（１４）と、
前記チューブ（６０）と直接連通し、前記チューブ（６０）を前記流量制御装置（１２）に係合するよう成されるとともに、前記栄養投与セット（１０）の機能構成の識別を可能にするための手段を備える取付部材（１６）とを備える栄養投与セット（１０）。
【請求項２】
前記チューブ（６０）は前記流量制御装置（１２）に係合される請求項１に記載の栄養投与セット（１０）。
【請求項３】
前記バルブ機構（１４）は前記流量制御装置（１２）に係合される請求項１に記載の栄養投与セット（１０）。
【請求項４】
前記取付部材（１６）は前記流量制御装置（１２）に係合される請求項１に記載の栄養投与セット（１０）。
【請求項５】
前記バルブ機構（１４）は、チャンバ（３６）を通って出口（３４）と連通する少なくとも一つの入口（３０）を有するバルブ本体（２８）と、前記チャンバ（３６）内に回転可能に配置され、少なくとも一つの流体ポート（４６）を画成する流体通路（４４）を備える前部（４０）を有するバルブステム（３８）とを備える請求項１に記載の栄養投与セット（１０）。
【請求項６】
前記バルブ機構（１４）は、チャンバ（３６）を通って出口（３４）と連通する少なくとも一つの入口（３０、３２）を有するとともに更にスロット（５０）を備えるバルブ本体（２８）と、前記チャンバ（３６）内に回転可能に配置されるとともにチャネル（４８）を備える後部（４２）を有するバルブステム（３８）とを備える請求項１に記載の栄養投与セット（１０）。
【請求項７】
前記バルブ機構（１４）は、チャンバ（３６）を通って出口（３４）と連通する少なくとも一つの入口（３０、３２）を有するとともに更にスロット（５０）を備えるバルブ本体（２８）と、前記チャンバ（３６）内に回転可能に配置されるとともに、少なくとも一つの流体ポート（４６）を画成する流体通路（４４）を備える前部（４０）およびチャネル（４８）を備える後部（４２）を有するバルブステム（３８）とを備える請求項１に記載の栄養投与セット（１０）。
【請求項８】
識別を可能にするための前記手段が、前記取付部材（１６）に取り付けられる少なくとも一つの識別部材（５６）を備える請求項１に記載の栄養投与セット（１０）。
【請求項９】
前記機能構成が栄養投与構成である請求項１に記載の栄養投与セット（１０）。
【請求項１０】
前記機能構成が洗浄構成である請求項１に記載の栄養投与セット（１０）。
【請求項１１】
前記機能構成が再点検構成である請求項１に記載の栄養投与セット（１０）。
【請求項１２】
前記取付部材（１６）が、上部および下部（５２、５４）を備え、識別を可能にするための前記手段が、前記取付部材（１６）の前記上部（５２）および／または前記下部（５４）に取り付けられる請求項１に記載の栄養投与セット（１０）。
【請求項１３】
前記バルブ機構（１４）が、前記チューブ（６０）を通る流体の流れを可能にする位置に置かれる請求項１に記載の栄養投与セット（１０）。
【請求項１４】
栄養投与セット（１０）であって、
ａ）内部を通る流体の流れに適合し、更に、流量制御装置（１２）に係合するようなされるチューブ（６０）および、前記チューブ（６０）と直接連通する取付部材（１６）とを備え、前記取付部材（１６）は、前記チューブ（６０）を前記流量制御装置（１２）に係合するよう成され、前記取付部材（１６）は、前記栄養投与セット（１０）の機能構成の識別を可能にするための手段を備える栄養投与セット（１０）。
【請求項１５】
流体を投与するための処理であって、
ａ）請求項２に記載の前記チューブ（６０）の一端を少なくとも一つの流体源（２１、２３）に取り付けるステップと、
ｂ）請求項２に記載の前記チューブ（６０）の別の一端を取り付けるステップと、
ｃ）請求項２に記載の前記栄養投与セット（１０）を用いて、前記流体源（２１）からの流体を投与するステップとを含む処理。
【請求項１６】
前記チューブ（６０）の前記別の一端を患者に取り付け、前記流体を前記患者に投与する請求項１５に記載の処理。
【請求項１７】
バルブ機構（１４）であって、
ａ）チャンバ（３６）を通って出口（３４）と連通する少なくとも一つの入口（３０、３２）を有するバルブ本体（２８）と、
ｂ）前記チャンバ（３６）内に回転可能に配置され、少なくとも一つの流体ポート（４６）を画成する流体通路（４４）を備える前部（４０）を有するバルブステム（３８）と、を備えるバルブ機構（１４）。
【請求項１８】
更に、前記バルブ機構（１４）に係合するチューブ（６０）を備える請求項１７に記載のバルブ機構（１４）。
【請求項１９】
バルブ機構（１４）であって、
ａ）チャンバ（３６）を通って出口（３４）と連通する少なくとも一つの入口（３０、３２）を有し、更にスロット（５０）を備えるバルブ本体（２８）と、
ｂ）前記チャンバ（３６）内に回転可能に配置され、チャネル（４８）を備える後部（４２）を有するバルブステム（３８）と、を備えるバルブ機構（１４）。
【請求項２０】
更に、前記バルブ機構（１４）に係合されるチューブ（６０）を備える請求項１９に記載のバルブ機構（１４）。
【請求項２１】
バルブ機構（１４）であって、
ａ）チャンバ（３６）を通って出口（３４）と連通する少なくとも一つの入口（３０、３２）を有し、更にスロット（５０）を備えるバルブ本体（２８）と、
ｂ）前記チャンバ（３６）内に回転可能に配置され、少なくとも一つの流体ポート（４６）を画成する流体通路（４４）を備える前部（４０）およびチャネル（４８）を備える後部を有するバルブステム（３８）と、を備えるバルブ機構（１４）。
【請求項２２】
更に、前記バルブ機構（１４）に係合するチューブ（６０）を備える請求項２１に記載のバルブ機構（１４）。
【発明の詳細な説明】
【発明の詳細な説明】
【０００１】
発明の分野
本発明は、流量制御装置に装着されるように成された栄養投与セットに関する。本発明は更に、流量制御装置に係合するように成されたバルブ機構に関する。
【０００２】
発明の背景
患者への薬品または栄養物を含む投与流体は、当該技術で周知である。流体は、制御された輸送速度で患者に流体を送るぜん動ポンプのような、流量制御装置に装着された栄養投与セットにより患者に輸送するのが典型的である。栄養投与セットは、流量制御装置に装着されるときに流体源から患者に流体を輸送するチューブを備える。
【０００３】
チューブには、栄養投与セットを通る流体の流れの連通を可能ならしめ、または遮るためにバルブ機構が配置されていてもよい。かかるバルブ機構は、流量制御装置に係合される際に、チューブを通る流体の流れの連通を遮る位置または可能にする位置への切り換えが自動操作されるものであってもよい。
【０００４】
多くの場合、異なる種類のタスクを実行するための異なる機能構成を有する栄養投与セットを識別することが困難となる。その理由は、それぞれの種類の栄養投与セットは、他の種類の栄養投与セットと見分けがつかない物理的な外観を有しているからである。従って、医療関係者が流量制御装置に装着される栄養投与セットの機能構成を直ちに識別できることが重要である。
【０００５】
それ故、栄養投与セットの機能構成を識別するための手段、および、流量制御装置に装着した栄養投与セットが外れることを防止できるバルブ機構、を有する栄養投与セットが必要とされる。
【０００６】
発明の概要
本発明は、流体の流れに適合するとともに、更に流量制御装置への装着に適したチューブを備える栄養投与装置を備える。バルブ機構がチューブと直接連通しており、流量制御装置に係合するよう成されている。更に、栄養投与セットは、チューブと直接連通している取付部材を備え、この取付部材は、チューブが流量制御装置に係合するよう成され、栄養投与セットの機能構成の識別を可能とするための手段を備える。
【０００７】
別の実施の形態では、栄養投与セットは、流体の流れに適合するとともに、更に流量制御装置への装着に適したチューブを備える。更に栄養投与セットは、チューブと直接連通している取付部材を備え、この取付部材はチューブが流量制御装置に係合するよう成され、栄養投与セットの機能構成の識別を可能とするための手段を備える。
【０００８】
本発明は更に、チャンバを通って出口と連通する少なくとも一つの入口を有するバルブ本体と、そのチャンバ内に回転可能に配設されるバルブステムを備えるバルブ機構に関する。バルブステムは、少なくとも一つの流体ポートを画成する流体通路を備える部分を有する。このバルブ機構は流体の流れを制御するのに適している。
【０００９】
別の実施の形態では、バルブ機構は、チャンバを通って出口と連通する少なくとも一つの入口を有するバルブ本体を備え、このバルブ本体は更にスロットを備える。バルブステムはチャンバ内に回転可能に配設され、チャネルを備える部分を有する。このバルブ機構は、バルブ機構が流体の流れを可能にする位置にある場合に、バルブ機構が流量制御装置から外れるのを防ぐのに適している。
【００１０】
更に別の実施の形態では、バルブ機構は、チャンバを通って出口と連通する少なくとも一つの入口を有するバルブ本体を備え、このバルブ本体は更にスロットを備える。バルブステムはチャンバ内に回転可能に配設される。バルブステムは、少なくとも一つの流体ポートを画成する流体通路を備える前部と、チャネルを備える後部と、を有する。このバルブ機構は、流体の流れを可能にする位置にある場合に流体の流れを制御するのに適し、バルブ機構が流量制御装置から外れるのを防ぐのに適している。
【００１１】
発明の詳細な説明
図面を参照すると、本発明による栄養投与セットの実施の形態は、総じて図１の符号１０で示されている。本実施の形態は、流量制御装置１２に装着されるよう成され、患者への流体輸送に適した栄養投与セット１０を備える。特に栄養投与セット１０は、流体の流れの連通に適合したチューブ６０を備え、チューブ６０は更にチューブ６０を通る流体を駆動するのに適した流量制御装置１２に係合するよう成されている。バルブ機構１４はチューブ６０と直接連通するとともに、流量制御装置１２に係合されたときにチューブ６０を通る流体の流れの連通を可能にしたり、または遮るよう成されている。更に、栄養投与セット１０はチューブ６０と直接連通する取付部材１６を備える。取付部材１６は、流量制御装置１２への係合時に流量制御装置１２により栄養投与セット１０の機能構成の識別が可能とされている。取付部材１６は、また栄養投与セット１０を流量制御装置１２に装着するのを補助する。ここで、本明細書で用いる用語「装着」の意味は、バルブ機構１４と取付部材１６を流量制御装置１２に係合し、チューブ６０をバルブ機構１４と取付部材１６との間で引き延ばし、栄養投与セット１０を流量制御装置１２と共に操作できるよう準備を整えた状態とすることを意味する。
【００１２】
別の実施の形態では、栄養投与セット１０は、バルブ機構１４がないことを除いて前の実施の形態と同一である。
【００１３】
本発明の更に別の実施の形態では、流量制御装置１２に係合するよう成される新規のバルブ機構１４を提供する。バルブ機構１４は、流体の流れの連通を可能にするか、または遮るのに適している。同様に、バルブ機構１４は、流体の流れの連通を可能にする位置にある場合、バルブ機構１４が流量制御装置１２から外れるのを防ぐのに適している。
【００１４】
栄養投与セット
上記のように、栄養投与セット１０は、少なくとも一つの流体源と患者との間の流体通路を提供するチューブ６０を備える。チューブ６０は、バルブ機構１４と取付部材１６との間に係合された第１チューブ８６と、取付部材１６とコネクタ７８との間に係合された第２チューブ８８を備える。コネクタ７８は患者に取り付けられる胃痩装置(a gastrostomy device)に取り付けるのに適した鉤状コネクタのようなコネクタである。バルブ機構１４および取付部材１６は、チューブ６０を流量制御装置１２に係合するよう成されている。更に図に示すように、チューブ６０は更に、栄養流体源２１とバルブ機構１４の間に係合される第３チューブ８２と、洗浄流体源２３とバルブ機構１４の間に係合される第４チューブ８４を備え、バルブ機構１４は、栄養流体もしくは洗浄流体の流れを可能にするための、あるいは、チューブ６０を通る流体の流れの連通を遮るための手段を提供する。
【００１５】
図２Ａ、図２Ｂ、および図１７を参照する。本発明の実施の形態による栄養投与セット１０および流量制御装置１２の構成要素およびシステムが示されている。流量制御装置１２は、流量制御装置１２に栄養投与セット１０を装着するよう成されている第１凹部２２および第２凹部２４を画成する筐体２０を備える。ローター２６のようなチューブ６０を通る流体を駆動するための手段が、筐体２０を貫通して筐体２０に動作可能に係合し、チューブ６０に係合するよう成されている。流量制御装置１２は更に、取付部材１６の第２凹部２４への係合を検出するとともに、以下に更に詳細に説明するようにソフトウエアサブシステム１５と通信動作可能に連結されたセンサ１７を含む（図１５）。バルブ機構１４およびローター２６は、単一モーター源２７により駆動されるギア編成２５に係合されて動作可能とされる。適切な流量制御装置１２が同時係属の２００４年５月２５日出願の米国特許出願第１０／８５４，１３６号に開示されており、その全てを引用して本明細書に組み込む。しかしながら、言うまでもなく、任意の適した流量制御装置１２を栄養投与セット１０とともに用いてもよい。
【００１６】
上記したように、栄養投与セット１０は、栄養投与セット１０を流量制御装置１２に装着するように成されたバルブ機構１４および取付部材１６に係合するチューブ６０を備える。特に、図２Ａおよび図２Ｂを参照すると、流量制御装置１２に栄養投与セット１０を装着するために、バルブ機構１４を第１凹部２２に係合し、第１チューブ８６をローター２６の周囲に巻き付け、そして取付部材１６を第２凹部２４に係合させ、それにより第１チューブ８６をローター２６周囲で引き延ばした状態にし、栄養投与セット１０が流量制御装置１２とともに動作するよう準備する。
【００１７】
ここで、ローター２６に導入されるチューブ６０の部分を「上流」と呼び、ローター２６から出ていくチューブ６０の部分を「下流」と呼ぶ。バルブ機構１４は、第１凹部２２でチューブ６０の上流部分と係合し、栄養投与セット１０を通るそれぞれの流体源からの流体の流れを制御する。一方、取付部材１６は、流量制御装置１２に栄養投与セット１０を装着するために、第２凹部２４でチューブ６０の下流部分と係合する。図１に示す実施の形態では、栄養流体源２１および洗浄流体源２３は、チューブ６０を通じてそれぞれの流体がバルブ機構１４と連通状態にされ、バルブ機構１４において栄養流体源２１または洗浄流体源２３のいずれかの流体の流れを可能にするか、または遮断する。しかしながら、栄養投与セット１０の別の実施の形態では、バルブ機構１４がなく、チューブ６０を通る流体の流れを制御するための手段（不図示）が栄養投与セット１０以外の領域に配置される。
【００１８】
バルブ機構
本発明は更に、チャンバ３６を通って出口３４と連通する少なくとも一つの入口３０、３２を有するバルブ本体、およびチャンバ３６内に回転可能に配設したバルブステム３８を備えるバルブ機構１４に関する。バルブステム３８は、少なくとも一つの流体ポート４６を画成する流体通路４４を備える前部４０を有する。バルブ機構１４のこのような形態は、流体の流れを制御するのに適している。
【００１９】
別の実施の形態では、バルブ機構１４は、チャンバ３６を通って出口３４と連通する少なくとも一つの入口３０、３２を有するバルブ本体２８を備え、このバルブ本体２８は更にスロット５０を備える。バルブステム３８は、チャンバ３６内に回転可能に配設され、チャネル４８を備える後部４２を有する。バルブ機構１４のこの形態はバルブ機構１４が流体の流れを可能にする位置にある場合に、バルブ機構１４が流量制御装置１２から外れるのを防ぐのに適している。
【００２０】
更に別の実施の形態では、バルブ機構１４は、チャンバ３６を通って出口３４と連通する少なくとも一つの入口３０、３２を有するバルブ本体２８を備え、このバルブ本体２８は更にスロット５０を備える。バルブステム３８は、チャンバ３６内に回転可能に配設される。バルブステム３８は、少なくとも一つの流体ポート４６を画成する流体通路４４を備える前部４０とチャネル４８を備える後部４２とを有する。バルブ機構１４のこの形態は、流体の流れを制御するのに適するとともに、バルブ機構１４が流体の流れを可能にする位置にある場合に、バルブ機構１４が流量制御装置１２から外れるのを防ぐのに適している。
【００２１】
図３〜図１０を参照する。バルブ機構１４は、本発明によるチューブ６０に係合するよう成されている。上記のように、バルブ機構１４は、第１入口３０、第２入口３２と、出口３４との間に介在するチャンバ３６を通る出口３４への流体の流れの連通を提供するために、第３チューブ８２を通って栄養流体源２１と連通するよう成されている第１入口３０と第４チューブ８４を通って洗浄流体源２３と連通するよう成されている第２入口３２とを有するバルブ本体２８を備える。バルブ本体２８は更に、本体外周に沿うスロット５０を備える。スロット５０は以下に説明するように、バルブ機構１４を動作させるための回転シャフト３３がそれを通じて受け入れられるように成されている構造配置を採る。バルブ本体２８は、ユーザがバルブ機構１４を流量制御装置１０に係合するのを容易にするタブ２９を含むのが好ましい。
【００２２】
上述のように、バルブステム３８は、バルブ本体２８を通る流体流れを形成するために、少なくとも一つの流体ポート４６を画成する流体流路４４を備える前部４０を有する。流体の流れは、どれか一つの流体ポート４６が、第１入口３０または第２入口３２のいずれかと直線状に配置するようにバルブステム３８が回転した場合になされ、それにより、第１入口３０または第２入口３２と、出口３４との間の流体の流れの連通がなされる。
【００２３】
図２Ｂ、図３Ａ〜図３Ｃ、図６および図１７を参照すると、チャネル４８は、バルブ機構１４を流量制御装置１２の第１凹部２２に係合させる時に、回転シャフト３３を係合するよう成されている対向する開口部４８Ａおよび４８Ｂを有する。図示のように、流量制御装置１２は更に、単一モーター源２７により駆動される回転シャフト３３を操作できるように、回転シャフト３３に係合されたギア編成２５を備える。バルブ機構１４と回転シャフト３３との係合は、バルブステム３８を回転させて、シャフト３３がチャネル４８の内側部分に挿入可能となるように、開口部４８Ａまたは４８Ｂの内の一つがスロット５０と直線状に配置するようにチャネル４８を配向させることによりなされる。チャネル４８は、チャネル４８がスロット５０と直線状とはならない方向に回転し、バルブ機構１４がチューブ６０を通る流体の流れの連通を可能とする位置とされたときに、バルブ機構１４が流量制御装置１２から外れるのを防ぐための手段を提供する。
【００２４】
逆に、バルブ機構１４は、開口部４８Ａまたは４８Ｂの内の一つがスロット５０と直線状に配置する方向にチャネル４８が回転されて、チューブ６０を通る流体の流れの連通を遮る位置となるときには、バルブ機構１４を流量制御装置１２から外すことができる。より詳細には、筐体２０からバルブ機構１４を外すためには、バルブ機構１４は、流体連通を遮断するために流体ポート４６を第１入口３０および第２入口３２の両方に対して直線状に配置されないようにバルブステム３８が回転した遮断位置としなければならない。流量制御装置１２がギア編成２５を介して回転シャフト３３に対しバルブステム３８を回転させるように指示し、バルブ機構１４が図１０Ｃに示す遮断位置に置かれたときに、チャネル４８がスロット５０に対して直線状に配置する一方、シャフト３３はスロット５０を通って外れる。
【００２５】
本発明の一態様によれば、バルブ機構１４はユーザによる手動操作を妨げるよう構成され、バルブ機構１４が流量制御装置１２に係合されている場合にのみ操作可能とされる。特に、バルブステム３８は、流量制御装置１２の操作を可能とするためにシャフト３３に係合していなければならず、それによってバルブ機構１４を手動で操作するのが困難となり、特に、不正開封防止装置として有益である。
【００２６】
操作中、単一モーター源２７で駆動される回転シャフト３３によるバルブステム３８の回転は、栄養投与セット１０を通る流体の流れの連通をバルブ機構１４により遮るか、または可能にする。流量制御装置１２は更に、流体の流れの連通を可能にするかあるいは遮るときに、第１入口３０または第２入口３２のいずれかが流体ポート４６と直線状に配置するかあるいは配置しないように、バルブステム３８の回転を制御するマイクロプロセッサ３７を含む。流体ポート４６のどれかが第１入口３０または第２入口３２のいずれかと直線状に配置する場合、図３Ａ、図３Ｂ、および図６に示すように、流体は流体通路４４を通って流体ポート４６に流れ、出口３４から出ることができる。バルブステム３８は、一方向だけ、例えば反時計回りに回転するので、バルブステム３８は流体ポート４６のいずれかが第１入口３０または第２入口３２のいずれかと直線状に配置するか、または配置しない場合だけ、流体通路４４を一方向に回転させ、それにより流体連通を可能としあるいは遮断する、流体ポート４６と第１入口３０または第２入口３２との間の一方向・多段係合動作が可能とされる。特に、図６を参照すると、バルブステム３８が流体ポート４６のどれかを第１または第２入口３０，３２に直線状に配置するときに、第１または第２入口３０，３２と出口３４との間で流体の流れの連通がなされる。
【００２７】
前述の説明に基づくと、バルブステム３８の流体ポート４６のどれかが第１または第２入口３０，３２のどれかと直線状に配置して、流体の流れの連通が可能である時、チャネル４８はスロット５０と直線状に配置していない。それにより、バルブ機構１４が流量制御装置１２から外れるのを防ぐ。流体ポート４６が第１入口３０および第２入口３２と直線状に配置せずに流体の流れの連通を遮る時、チャネル４８はスロット５０と直線状に配置し、バルブ機構１４を流量制御装置１２から外すことができる。
【００２８】
図１１Ａおよび図１１Ｂを参照すると、本発明に従ったバルブ機構の代替の実施の形態が１４Ａとして示される。バルブ機構１４Ａは、栄養投与および洗浄の機能を共に可能とする第１および第２入口３０，３２があるのではなく、栄養流体源２１から栄養投与セット１０を経て栄養流体を提供するための単一の栄養入口６３のみがあることを除き、好適な実施の形態であるバルブ機構１４に構造的、動作的に類似する。従って、バルブ機構１４Ａは、患者に流体を提供するための栄養投与位置（図１１Ａ）と、流体の流れの連通を遮る遮断位置（図１１Ｂ）とを切り換える。
【００２９】
栄養投与セット識別子システム
本発明の別の態様によれば、取付部材１６は、栄養投与セット１０の流量制御装置１２への装着を補助し、また、第２凹部２４に係合されるときに、栄養投与セット１０の種類を識別するための手段を提供するソフトウエアサブシステム１５に動作可能に連絡する。図２Ａ、および図１２〜図１７に示すように、取付部材１６は、取付時に識別部材５６を受容するようにそれぞれ成される上部５２および下部５４を有する。好適には、取付部材１６は、チューブ６０を同軸的に覆う円筒形状を有し、栄養投与セット１０の流量制御装置１２への装着の際に第２凹部２４に係合するよう構成され、それにより、センサ１７が取付部材１６に取り付けられた一つ若しくは複数の識別部材５６の存在を検出する。取付部材１６が第２凹部２４に係合されるときにセンサ１７が一つ若しくは複数の識別部材５６の存在を検出できるように、センサ１７は、第２凹部２４の近くに位置するホール効果センサまたは他の種類の近接センサであることが好ましい。
【００３０】
取付部材１６を第２凹部２４に係合するときに、取付部材１６への一つまたは複数の識別部材５６の取り付けが、ソフトウエアサブシステム１５により流量制御装置１２に装着される栄養投与セット１０の機能構成を識別するための手段を提供し、またそれはセンサ１７により検出される。図１２に詳細に示すように、取付部材１６は、流量制御装置１２に装着した栄養投与セット１０の機能構成をソフトウエアサブシステム１５が識別できる識別形式に従ってそこに取り付けられる少なくとも一つ以上の識別部材５６を有する。識別部材５６は、センサ１７と物理的に直接接触することなくセンサ１７が検出できる磁性体構成要素、または代替として、磁気感応金属構成要素であることが好ましい。流量制御装置１２に装着した栄養投与セット１０の機能構成を識別するために、マイクロプロセッサ３７は、栄養投与セット１０の異なる機能構成を識別するための一または複数の識別形式を含むデータベース１３４と動作可能に結合する。
【００３１】
本発明の別の態様によれば、識別部材５６は、取付部材１６の上部５２、下部５４、または両部５２および５４に取り付けることができる。少なくとも一つの識別部材５６の取付部材１６への取り付けは、異なる機能構成の数に対応して変化させる。栄養投与、洗浄、または再点検等の、栄養投与セット１０のためのそれぞれ異なる機能構成は、取付部材１６に取り付けられて栄養投与セット１０を識別する識別部材５６の予め決められた個数および配置を含んでもよく、取付部材１６がセンサ１７によって検出されたときに、このデータがマイクロプロセッサ３７を介してソフトウエアサブシステム１５に通信される。
【００３２】
取付部材１６への識別部材５６の異なる個数および取り付けの認識、および、流量制御装置１２に装着した栄養投与セット１０の機能構成の種類の識別は、２つのステップの処理に基づく。第１に、取付部材１６が第２凹部２４に係合したときに、センサ１７が識別部材５６の配置および個数を検出する。第２に、以下に更に詳細に説明するが、センサ１７と動作可能に接続しているソフトウエアサブシステム１５が、取付部材１６上で検出された識別部材５６の配置および個数に基づいて、装着した栄養投与セット１０の機能構成を判定する。
【００３３】
図１５を参照すると、ソフトウエアサブシステム１５の実施で用いるセンサ１７は、取付部材１６に取り付けられた一つまたは複数の識別部材５６の配置、および個数を検出する一対のセンサ装置１７Ａおよび１７Ｂを備える。センサ１７は、識別部材５６を検出するための既知の任意の種類の近接センサとすることができ、取付部材１６に取り付けられる磁性体構成要素、または代替として、磁気感応金属構成要素であることが好ましい。加えて、センサ１７は、識別部材５６の存在を検出するための取付部材１６の部分と対応するそれぞれのセンサ装置とともに任意の数のセンサ装置を備えていてもよい。一実施の形態では、一対の磁場近接センサまたは磁気スイッチ型センサを備えるが、本発明の意図では、各種の誘導コイル編成等の他の種類のセンサを用いてもよい。栄養投与セット１０を流量制御装置１２に装着した場合、センサ装置１７Ａおよび１７Ｂが、取付部材１６と近接する対応部分に位置決めされるように、センサ１７を第２凹部２４の近くに位置決めする。取付部材１６が係合されると、センサ装置１７Ａおよび１７Ｂは、取付部材１６の対応する上部５２および下部５４に取り付けられ識別部材５６の存在を検出できる。
【００３４】
詳細には、センサ装置１７Ａおよび１７Ｂは、取付部材１６の上部５２および下部５４に近接させて第２凹部２４の近くに位置決めされ、部分５２および５４の各々に取り付けた対応する識別部材５６を検出できる。従って、センサ装置１７Ａは、取付部材１６の上部５２に取り付けた識別部材５６だけを検出する位置に置き、一方、センサ装置１７Ｂは、取付部材１６の下部５４に取り付けた識別部材５６の存在だけを検出する位置に置く。上記に記したように、本発明の意図は、対応するセンサ装置１７が識別部材５６を受容するように成された取付部材１６の各付加部分に配されることにある。
【００３５】
更に上述したように、ソフトウエアサブシステム１５は、流量制御装置１２が、流量制御装置１２に装着した栄養投与セット１０の機能構成を識別できるようにするための手段を提供する。図１８は、ソフトウエアサブシステム１５がマイクロプロセッサ３７を介して複数の機能構成から流量制御装置１２に装着した栄養投与セット１０の機能構成の識別を実行するステップシーケンスを示す。判定ポイント３１８で、ソフトウエアサブシステム１５は栄養投与セット１０が流量制御装置１２に装着されたかどうかを判定する。栄養投与セット１０が装着されていない場合、次のステップ３２４にて流量制御装置１２が動作不能となるような状態が維持される。しかしながら、栄養投与セット１０が流量制御装置１２に装着されている場合、栄養投与セット１０および流量制御装置は、ソフトウエアサブシステム１５が流量制御装置１２に装着されている栄養投与セット１０の機能構成を識別した時点で動作の準備をする。
【００３６】
取付部材１６の係合が判定ポイント３１８で検出されると、マイクロプロセッサ３７はこの係合の指示をユーザに表示するよう流量制御装置１２に指令する。ステップ３２０で、ソフトウエアサブシステム１５は流量制御装置１２に栄養投与セット１０のどの機能構成が装着されているかを判定し、動作準備に入る。
【００３７】
栄養投与セット１０の機能構成を識別するために、ソフトウエアサブシステム１５は、一連の判定ポイント３２２、３２６、および３２８を実行する。ソフトウエアサブシステム１５は、これら判定ポイント毎に、センサ１７が検出した識別部材５６の個数および配置を、データベース１３４に格納してあるデータと比較する。
【００３８】
判定ポイント３２２で、センサ１７が取付部材１６の上部５２および下部５４の両方に取り付けた識別部材５６を検出した場合、ソフトウエアサブシステム１５は、洗浄機能の構成を有する栄養投与セット１０と識別する。しかしながら、識別部材５６が上部５２および下部５４の両方にあると検出されなかった場合、ソフトウエアサブシステム１５は判定ポイント３２６に進む。判定ポイント３２６で、センサ１７が下部５４だけに取り付けた識別部材５６を検出した場合、データベース１３４から検索した情報が、再点検機能の構成を有する栄養投与セット１０と識別する。しかしながら、ステップ３２８で、センサ１７が取付部材１６の上部５２に取り付けた識別部材５６だけを検出した場合、ソフトウエアサブシステム１５は、流量制御装置１２に装着された栄養投与セット１０が栄養投与機能の構成を有すると判定する。
【００３９】
ソフトウエアサブシステム１５が流量制御装置１２に装着した栄養投与セット１０の機能構成を識別すると、マイクロプロセッサ３７は、この情報をユーザーインターフェース４０上に表示するよう指令する。このように、ソフトウエアサブシステム１５は、栄養投与セット１０が装着されていることを検出できるだけでなく、流量制御装置１２に装着された栄養投与セット１０の、栄養投与、洗浄、または再点検等の機能構成を判定し、表示できる。しかしながら、本発明は、上部５２および下部５４に取り付けられた識別部材５６の配置の代替の編成でも、栄養投与セット１０の異なった機能構成に対応できるということを意図している。
【００４０】
図１６に示す代替の識別形式においては、識別部材５６が取付部材１６Ａの３つの異なる部分に取り付けられていてもよく、センサ１７が検出できる機能構成の合計数が３構成から７構成に増加する。本発明は更に、識別部材５６を係合するための取付部材１６Ａの部分の数の増加が、流量制御装置１２によって検出され識別される栄養投与セット１０の異なる機能構成の数を増加させることを意図する。ソフトウエアサブシステム１５は、以下の式を利用して、取付部材１６に対する機能構成数を決定することが好ましい：
【００４１】
Ｘ＝２n−１
ここで、Ｘは、可能性のある異なる機能構成数であり、ｎは取付部材１６に沿う部分の数である。
【００４２】
好ましくは、取付部材１６Ａは、一つまたは複数の識別形式に従って識別部材５６を受容するようになされた部分を有する少なくとも３つの分割された部分を有する同軸のスリーブであってもよい。この代替の実施の形態では、取付部材１６Ａは、上部５２および下部５４に加えて中央部分５８を有し、それぞれが識別部材５６を受容するよう適合していることが好ましい。加えて、可能性のある識別形式の数を更に増加させるために、当該技術で周知の技法を用いて任意の数の識別部材５６の極性を逆にして、取付部材１６に取り付けた一つまたは複数の識別部材５６を検出する別の手段を提供することもできる。
【００４３】
上述のように、本発明の特徴的な実施の形態を図示し、説明したが、当該技術に習熟する者には明らかなように、本発明の精神および範囲から逸脱することなく、様々な改変を行うことができることは言うまでもない。
【図面の簡単な説明】
【００４４】
【図１】本発明による栄養投与セットの実施の形態の斜視図である。
【図２Ａ】本発明による流量制御装置に装着された栄養投与セットの側面図である。
【図２Ｂ】本発明による、栄養投与セットを装着する前の流量制御装置の実施の形態の側面図である。
【図３Ａ】本発明による、栄養投与位置にあるバルブ機構を示す実施の形態の部分斜視図である。
【図３Ｂ】本発明による、洗浄位置にあるバルブ機構を示す実施の形態の部分斜視図である。
【図３Ｃ】本発明による、遮断位置にあるバルブ機構を示す実施の形態の部分斜視図である。
【図４】本発明によるバルブ機構の実施の形態の側面図である。
【図５】本発明によるバルブ機構の実施の形態の一端面図である。
【図６】本発明による、図５の線６−６に沿って切り取ったバルブ機構の実施の形態の断面図である。
【図７】本発明による、図４の線７−７に沿って切り取ったバルブ機構の実施の形態の断面図である。
【図８】本発明による、図４の線８−８に沿って切り取ったバルブ機構の実施の形態の断面図である。
【図９】本発明によるバルブ機構の実施の形態の他端面図である。
【図１０】本発明によるバルブ機構の実施の形態の底面図である。
【図１１Ａ】本発明による、栄養投与位置にあるバルブ機構を示す代替の実施の形態の斜視図である。
【図１１Ｂ】本発明による、遮断位置にあるバルブ機構を示す代替の実施の形態の斜視図である。
【図１２】本発明による、取付部材の下部、および上部に取り付けられた識別部材を有する取付部材の実施の形態の図である。
【図１３】本発明による、取付部材の下部のみに取り付けられた識別部材を有する取付部材の実施の形態の図である。
【図１４】本発明による、取付部材の上部のみに取り付けられた識別部材を有する取付部材の実施の形態の図である。
【図１５】本発明による、下部、および上部に取り付けられた識別部材を有する取付部材および、更に関連するセンサ装置を説明する実施の形態の図である。
【図１６】本発明による、上部、中央部、および下部に取り付けられた識別部材を有する取付部材の実施の形態の図である。
【図１７】本発明による、流量制御装置に装着した栄養投与セットに関する各種システムを示す簡略ブロック図である。
【図１８】本発明による、流量制御装置に装着するよう適合した栄養投与セットの機能構成を検出および識別するために用いる処理を説明するソフトウエアサブシステムのフロー図である。
【図１】
2008500070.tif 000003
【図２Ａ】
2008500070.tif 000004
【図２Ｂ】
2008500070.tif 000005
【図３Ａ】
2008500070.tif 000006
【図３Ｂ】
2008500070.tif 000007
【図３Ｃ】
2008500070.tif 000008
【図４】
2008500070.tif 000009
【図５】
2008500070.tif 000010
【図６】
2008500070.tif 000011
【図７】
2008500070.tif 000012
【図８】
2008500070.tif 000013
【図９】
2008500070.tif 000014
【図１０】
2008500070.tif 000015
【図１１Ａ】
2008500070.tif 000016
【図１１Ｂ】
2008500070.tif 000017
【図１２】
2008500070.tif 000018
【図１３】
2008500070.tif 000019
【図１４】
2008500070.tif 000020
【図１５】
2008500070.tif 000021
【図１６】
2008500070.tif 000022
【図１７】
2008500070.tif 000023
【図１８】
2008500070.tif 000024
【国際調査報告】
2008500070.tif 000025